【手続補正書】
【提出日】令和3年6月8日(2021.6.8)
【手続補正１】
【補正対象書類名】特許請求の範囲
【補正対象項目名】全文
【補正方法】変更
【補正の内容】
【特許請求の範囲】
【請求項１】
ハウジングと、前記ハウジングに固定され、前記ハウジングとともに吐出室を区画形成する固定スクロールと、前記ハウジング内で公転軸周りで公転のみ可能に支持され、前記固定スクロールとの間に圧縮室を区画形成する可動スクロールと、前記ハウジングに固定され、前記可動スクロールとともに背圧室を区画形成するとともに、前記ハウジングとともに吸入室を区画形成する軸支部材とを備え、
前記固定スクロールは、固定基板と、前記固定基板と一体をなす固定渦巻壁とを有し、
前記可動スクロールは、前記固定基板と対面する可動基板と、前記可動基板と一体をなし、前記固定渦巻壁に噛み合わされる可動渦巻壁とを有し、
前記背圧室に前記圧縮室内の流体が供給されるスクロール型圧縮機において、
前記背圧室と前記吐出室とは逃し通路によって連通され、
前記逃し通路には、前記背圧室内の背圧が前記吐出室内の吐出圧力より高くなれば前記流体を前記背圧室から前記吐出室に流す逆止弁部が設けられていることを特徴とするスクロール型圧縮機。
【請求項２】
前記固定スクロールは、前記固定渦巻壁を囲繞するとともに前記ハウジングに接合されるシェルを有し、
前記逃し通路の少なくとも一部は前記シェルに貫通形成されている請求項１記載のスクロール型圧縮機。
【請求項３】
前記固定基板には、前記吐出室と前記圧縮室とを連通する吐出ポートが形成され、
前記逆止弁部は、板状であって、前記逃し通路の前記吐出室側の開口を弾性変形によって開閉し、
前記固定基板には、前記吐出室内において、前記吐出ポートを弾性変形によって開閉する板状の吐出弁部と、前記吐出弁部の変形量を規制する吐出弁リテーナと、前記逆止弁部と、前記逆止弁部の変形量を規制する逆止弁リテーナとが設けられ、
前記吐出弁部と前記逆止弁部とは一体とされ、前記吐出弁リテーナと前記逆止弁リテーナとは一体とされている請求項１又は２記載のスクロール型圧縮機。
【請求項４】
前記可動スクロールには、前記可動渦巻壁の先端面に開き、前記圧縮室と連通可能な流入口と、前記可動基板に形成されて前記背圧室に連通する流出口と、前記流入口と前記流出口とを連通させる連通孔とからなり、前記可動スクロールの弾性変形又は前記公転軸方向の変位によって前記圧縮室を前記背圧室に連通させる給気通路が形成されている請求項１乃至３のいずれか１項記載のスクロール型圧縮機。
【請求項５】
前記軸支部材と前記可動スクロールとの間には、自己のばね性及び前記背圧によって前記可動スクロールを前記固定スクロールに向けて付勢するプレートが設けられ、
前記逃し通路の一部は前記プレートに形成されている請求項１乃至４のいずれか１項記載のスクロール型圧縮機。
【手続補正２】
【補正対象書類名】明細書
【補正対象項目名】０００８
【補正方法】変更
【補正の内容】
【０００８】
本発明のスクロール型圧縮機は、ハウジングと、前記ハウジングに固定され、前記ハウジングとともに吐出室を区画形成する固定スクロールと、前記ハウジング内で公転軸周りで公転のみ可能に支持され、前記固定スクロールとの間に圧縮室を区画形成する可動スクロールと、前記ハウジングに固定され、前記可動スクロールとともに背圧室を区画形成するとともに、前記ハウジングとともに吸入室を区画形成する軸支部材とを備え、
前記固定スクロールは、固定基板と、前記固定基板と一体をなす固定渦巻壁とを有し、
前記可動スクロールは、前記固定基板と対面する可動基板と、前記可動基板と一体をなし、前記固定渦巻壁に噛み合わされる可動渦巻壁とを有し、
前記背圧室に前記圧縮室内の流体が供給されるスクロール型圧縮機において、
前記背圧室と前記吐出室とは逃し通路によって連通され、
前記逃し通路には、前記背圧室内の背圧が前記吐出室内の吐出圧力より高くなれば前記流体を前記背圧室から前記吐出室に流す逆止弁部が設けられていることを特徴とする。
【手続補正３】
【補正対象書類名】明細書
【補正対象項目名】０００９
【補正方法】変更
【補正の内容】
【０００９】
本発明のスクロール型圧縮機では、背圧室内の背圧が吐出室内の吐出圧力より高くなれば、逆止弁部が逃し通路を開く。このため、背圧室内の吐出圧力より高圧の流体が背圧室から吐出室に流れる。このため、背圧が過剰に高いことによる可動スクロールの過剰な付勢が抑制され、可動スクロールの摩耗等が防止される。この際、背圧室内の流体が吸入室に流れるわけではないため、圧縮仕事が行なわれた流体を再度圧縮室に吸入して圧縮することはない。背圧室内の背圧が吐出室内の吐出圧力より低ければ、逆止弁部が閉じて背圧室内の流体は背圧室に留まり、可動スクロールを固定スクロール側に適度に付勢して高い圧縮効率を実現する。
【手続補正４】
【補正対象書類名】明細書
【補正対象項目名】００１２
【補正方法】変更
【補正の内容】
【００１２】
固定基板には、吐出室と圧縮室とを連通する吐出ポートが形成され得る。また、逆止弁部は、板状であって、逃し通路の吐出室側の開口を弾性変形によって開閉するものとし得る。固定基板には、吐出室内において、吐出ポートを弾性変形によって開閉する板状の吐出弁部と、吐出弁部の変形量を規制する吐出弁リテーナと、逆止弁部と、逆止弁部の変形量を規制する逆止弁リテーナとが設けられ得る。そして、吐出弁部と逆止弁部とは一体とされ、吐出弁リテーナと逆止弁リテーナとは一体とされていることが好ましい。この場合、吐出弁部及び吐出弁リテーナと別個の逆止弁部及び逆止弁リテーナを設ける必要がなく、部品点数の削減を実現することができる。
【手続補正５】
【補正対象書類名】明細書
【補正対象項目名】００１４
【補正方法】変更
【補正の内容】
【００１４】
可動スクロールにこのような給気通路が形成されたスクロール型圧縮機では、圧縮室と吐出室とを開閉弁を介して連通し、圧縮室内に液体状の冷媒が存在する場合には、開閉弁を開いて圧縮室から吐出室にその冷媒を排出するためのサブポートが設けられ得る。本発明に基づき、背圧室と吐出室とが逆止弁部を有する逃し通路によって連通されている場合には、そのサブポートの本数を減らすことができる。このため、サブポートの削減により、デッドボリュームの減少による高い体積効率の実現と、加工工数の削減による製造コストの低廉化とを実現できる。
【手続補正６】
【補正対象書類名】明細書
【補正対象項目名】００２０
【補正方法】変更
【補正の内容】
【００２０】
以下の説明では、図１の紙面左側に位置するフロントハウジング１側を電動圧縮機の前側と規定し、図１の紙面右側に位置するモータハウジング３側を電動圧縮機の後側と規定する。なお、実施例１における前後方向は一例である。電動圧縮機は、搭載される車両等に対応して、その前後方向が適宜変更される。
【手続補正７】
【補正対象書類名】明細書
【補正対象項目名】００２７
【補正方法】変更
【補正の内容】
【００２７】
軸支部材１１は、可動スクロール１５との間に背圧室２０を形成している。プレート１４は、円環状をなすばね鋼からなる。このプレート１４は、背圧室２０内において、軸支部材１１と可動スクロール１５との間に配置され、軸支部材１１と固定スクロール１３のシェル１３ｂとで挟持されている。
【手続補正８】
【補正対象書類名】明細書
【補正対象項目名】００３５
【補正方法】変更
【補正の内容】
【００３５】
リード弁３９は、吐出ポート１３ｄを開閉するための吐出弁部３９ａと、サブポート１３ｅを開閉するためのサブ弁部３９ｂと、サブポート１３ｆを開閉するためのサブ弁部３９ｃと、逃し孔５５を開閉するための逆止弁部３９ｄとが一体とされている。
【手続補正９】
【補正対象書類名】明細書
【補正対象項目名】００３６
【補正方法】変更
【補正の内容】
【００３６】
リテーナ４１も、吐出弁部３９ａの変形量を規制する吐出弁リテーナとしての吐出リテーナ部４１ａと、サブ弁部３９ｂの変形量を規制するサブリテーナ部４１ｂと、サブ弁部３９ｃの変形量を規制するサブリテーナ部４１ｃと、逆止弁部３９ｄの変形量を規制する逆止弁リテーナとしての逆止弁リテーナ部４１ｄとが一体とされている。
【手続補正１０】
【補正対象書類名】明細書
【補正対象項目名】００３８
【補正方法】変更
【補正の内容】
【００３８】
モータ室３ｃ、回転軸１９、ブッシュ２７、ラジアル軸受２９、可動スクロール１５、固定スクロール１３、吐出室３７、リード弁３９、リテーナ４１等によって冷媒の圧縮を行なう圧縮機構１０が構成されている。圧縮機構１０は吐出室３７に設けられるオイルセパレータも含み得る。ロータ３５、ステータ３３及び回転軸１９によって圧縮機構１０を駆動させるモータ機構１２が構成されている。モータ機構１２には図示しないインバータによって三相交流電流が供給されるようになっている。
【手続補正１１】
【補正対象書類名】明細書
【補正対象項目名】００４２
【補正方法】変更
【補正の内容】
【００４２】
さらに、背圧室２０の背圧が吐出室３７内の吐出圧力より高くなれば、図５に示すように、背圧室２０内の冷媒が案内溝５１、連通孔５３及び逃し孔５５を経てリード弁３９の逆止弁部３９ｄを開き、吐出室３７に吐出される。リテーナ４１の逆止弁リテーナ部４１ｄは逆止弁部３９ｄの変形量を規制する。このため、吐出圧力より高圧の冷媒ガスが背圧室２０から逃がし通路５０を経て吐出室３７に流れる。このため、背圧が過剰に高いことによる可動スクロール１５の過剰な付勢が抑制され、可動スクロール１５の摩耗等が防止される。
【手続補正１２】
【補正対象書類名】明細書
【補正対象項目名】００４６
【補正方法】変更
【補正の内容】
【００４６】
さらに、この電動圧縮機では、リード弁３９が逆止弁部３９ｄを一体に有し、リテーナ４１が逆止弁リテーナ部４１ｄを一体に有しているため、吐出ポート１３ｄやサブポート１３ｅ、１３ｆを開閉するための弁及びリテーナと別個の弁及びリテーナを設ける必要がなくなっている。このため、部品点数の削減を実現することができ、この点においてもコストの低廉化を実現している。
【手続補正１３】
【補正対象書類名】明細書
【補正対象項目名】００５１
【補正方法】変更
【補正の内容】
【００５１】
弁室６４内には逆止弁部としてのボール４４が弁座６４ａ側に設けられ、ボール４４とばね座２ｂとの間に付勢バネ４２が設けられている。逃し孔６２、弁室６４、開口２ａ及び凹溝２ｃが逃し通路５２に相当する。他の構成は実施例１と同様であり、同一の構成については同一の符号を付し、構成の詳細な説明を省略する。
【手続補正１４】
【補正対象書類名】明細書
【補正対象項目名】００５３
【補正方法】変更
【補正の内容】
【００５３】
（実施例４）
実施例４の電動圧縮機では、図８に示すように、逆止弁部がボールではなく、スプール４６である。スプール４６は、弁座６４ａ側が傘形状に形成されている。他の構成は実施例３と同様であり、同一の構成については同一の符号を付し、構成の詳細な説明を省略する。
【手続補正１５】
【補正対象書類名】明細書
【補正対象項目名】００５６
【補正方法】削除
【補正の内容】
【手続補正１６】
【補正対象書類名】明細書
【補正対象項目名】００６０
【補正方法】変更
【補正の内容】
【００６０】
１６…ハウジング（１…フロントハウジング、３…モータハウジング）
３７…吐出室
１３…固定スクロール
３１…圧縮室
１５…可動スクロール
２０…背圧室
３ｃ…吸入室（モータ室）
１１…軸支部材
１３ａ…固定基板
１３ｃ…固定渦巻壁
１５ａ…可動基板
１５ｂ…可動渦巻壁
５０、５２…逃し通路
３９ｄ…逆止弁部
１３ｂ…シェル
１３ｄ…吐出ポート
３９ａ…吐出弁部
４１…リテーナ
６１ａ…流入口
６１ｂ…流出口
６１ｃ…連通孔
６０…給気通路
１４…プレート
【手続補正１７】
【補正対象書類名】図面
【補正対象項目名】図１
【補正方法】変更
【補正の内容】
【図１】
2020165309.tif 000001